(57)【要約】      （修正有）【課題】プッシュスイッチ機構の操作部材を備えたものであっても、点火状態と消火状態との区別をつきやすくして、使い勝手に優れたものとする。【解決手段】ビルトインコンロのプッシュスイッチ機構２０において、点消火ボタン１５に連結される前カム２５と、弁軸を前後移動させる後カム２６とを採用すると共に、前カム２５側に第１案内手段を、後カム２６側に第２案内手段を設けて、消火位置では、第１案内手段によって前カム２５は、点消火ボタン１５の前面を器体の前面に沿わせる初期位置に保持され、点消火ボタン１５の押し込み操作により、前カム２５及び後カム２６が後退して弁軸を開弁側へ移動させ、燃焼位置では、第１案内手段によって前カム２５は、点消火ボタン１５を器体の前面から突出させる前方位置に保持される。【選択図】図６
2018128241.tif 000002
【特許請求の範囲】
【請求項１】
バーナを備えた器体内に、前側の操作部材と、前記バーナへのガス流路を開閉する弁軸を備えた後側の流路開閉部と、前記操作部材と前記流路開閉部との間で前後移動可能なカムと、前記操作部材の押し込み操作の繰り返しにより前記カムの前後位置を変更して、前記弁軸を、前記ガス流路を閉塞する消火位置と前記ガス流路を開放する燃焼位置とに前後移動させる案内手段とを設けてなるガス調理器具であって、
前記カムを、前記操作部材に連結される前側の第１カムと、前記弁軸を前後移動させる後側の第２カムとから構成すると共に、前記案内手段を、前記第１カムの前後位置を決定する第１案内手段と、前記第２カムの前後位置を決定する第２案内手段とから構成して、
前記消火位置では、前記第１案内手段によって前記第１カムは、前記操作部材の前面を前記器体の前面に沿わせる初期位置に保持され、
前記消火位置からの前記操作部材の押し込み操作により、前記第１カムを介して前記第２カムが後退して前記弁軸を開弁側へ移動させ、
前記押し込み操作を解除した前記燃焼位置では、前記第１案内手段によって前記第１カムは、前記操作部材を前記器体の前面から突出させる前方位置に保持されることを特徴とするガス調理器具。
【請求項２】
前記第１案内手段は、前記第１カムに形成されたハート形状の第１カム溝と、その第１カム溝に係止して前記第１カムの前後移動に伴って前記第１カム溝内を相対移動する第１係止部材と、前記第１カムを前方へ付勢する第１付勢部材とを含み、
前記第２案内手段は、前記第２カムに形成されたハート形状の第２カム溝と、その第２カム溝に係止して前記第２カムの前後移動に伴って前記第２カム溝内を相対移動する第２係止部材と、前記第２カムを前方へ付勢する第２付勢部材とを含むことを特徴とする請求項１に記載のガス調理器具。
【請求項３】
前記第１カムと前記第２カムとの何れか一方に、他方側へ部分的に重なる重合部を突設して、前記第１カムが後退する際には、前記重合部が前記他方側に対して摺接することを特徴とする請求項１又は２に記載のガス調理器具。
【請求項４】
前記第１カム及び前記第２カム、前記第１付勢部材及び前記第２付勢部材を収容するケースを備え、前記第２カムは、前後移動に伴い、前記ケースに設けられたスイッチのＯＮ／ＯＦＦ動作を行うものであり、
前記第１カムは、前記初期位置と、前記燃焼位置から前記操作部材が押し込み操作された際の消火押切位置とは、前記第１係止部材によってそれぞれ位置決めされ、それ以外の前後位置は、前記第２カム若しくは前記ケースとの当接によって位置決めされる一方、
前記第２カムは、前記燃焼位置は前記第２係止部材によって位置決めされ、それ以外の前後位置は、前記ケース若しくは前記弁軸、前記第１カムとの当接によって位置決めされることを特徴とする請求項２に記載のガス調理器具。
【発明の詳細な説明】
【技術分野】
【０００１】
本発明は、コンロ等のガス調理器具に関する。
【背景技術】
【０００２】
コンロ等のガス調理器具においては、ガスバーナを被調理物の加熱手段として備えると共に、器体の前面に設けた点消火ボタン（操作部材）の押し操作によってガスバーナの点消火動作が可能となるプッシュスイッチ機構を設けたものが知られている。このプッシュスイッチ機構は、例えば特許文献１に開示されるように、点消火ボタンの押し操作の繰り返しにより、ガス流路を開閉する弁体を備えた弁軸を、ハートカム機構を介して軸方向に進退運動させるものである。特に特許文献１のコンロでは、点消火ボタンが操作パネルから常に飛び出していることで、デザイン上の斬新性に欠けることに鑑みて、非使用時は点消火ボタンを操作パネル面と同一面上に位置させ、燃焼時は操作パネル面よりも奥に位置するようにしている。
【先行技術文献】
【特許文献】
【０００３】
【特許文献１】特開２００４−１２５３３６号公報
【発明の概要】
【発明が解決しようとする課題】
【０００４】
上記従来のコンロでは、点火状態と消火状態とにかかわらず、操作部材が操作パネル面と同一面若しくはそれより奥に常に位置しているので、操作部材の位置が外部からわかりにくく、点火状態と消火状態との区別がつきにくかった。
【０００５】
そこで、本発明は、プッシュスイッチ機構の操作部材を備えたものであっても、点火状態と消火状態との区別がつきやすくなり、使い勝手に優れるガス調理器具を提供することを目的としたものである。
【課題を解決するための手段】
【０００６】
上記目的を達成するために、請求項１に記載の発明は、バーナを備えた器体内に、前側の操作部材と、バーナへのガス流路を開閉する弁軸を備えた後側の流路開閉部と、操作部材と流路開閉部との間で前後移動可能なカムと、操作部材の押し込み操作の繰り返しによりカムの前後位置を変更して、弁軸を、ガス流路を閉塞する消火位置とガス流路を開放する燃焼位置とに前後移動させる案内手段とを設けてなるガス調理器具であって、
カムを、操作部材に連結される前側の第１カムと、弁軸を前後移動させる後側の第２カムとから構成すると共に、案内手段を、第１カムの前後位置を決定する第１案内手段と、第２カムの前後位置を決定する第２案内手段とから構成して、消火位置では、第１案内手段によって第１カムは、操作部材の前面を器体の前面に沿わせる初期位置に保持され、消火位置からの操作部材の押し込み操作により、第１カムを介して第２カムが後退して弁軸を開弁側へ移動させ、押し込み操作を解除した燃焼位置では、第１案内手段によって第１カムは、操作部材を器体の前面から突出させる前方位置に保持されることを特徴とする。
なお、「操作部材の前面を器体の前面に沿わせる初期位置」とは、操作部材の前面が器体の前面と同一面上にある場合は勿論、操作部材の前面が器体の前面から僅かに前方或いは後方へずれて略同一面となる場合も含む趣旨である。
請求項２に記載の発明は、請求項１の構成において、第１案内手段は、第１カムに形成されたハート形状の第１カム溝と、その第１カム溝に係止して第１カムの前後移動に伴って第１カム溝内を相対移動する第１係止部材と、第１カムを前方へ付勢する第１付勢部材とを含み、第２案内手段は、第２カムに形成されたハート形状の第２カム溝と、その第２カム溝に係止して第２カムの前後移動に伴って第２カム溝内を相対移動する第２係止部材と、第２カムを前方へ付勢する第２付勢部材とを含むことを特徴とする。
請求項３に記載の発明は、請求項１又は２の構成において、第１カムと第２カムとの何れか一方に、他方側へ部分的に重なる重合部を突設して、第１カムが後退する際には、重合部が他方側に対して摺接することを特徴とする。
請求項４に記載の発明は、請求項２の構成において、第１カム及び第２カム、第１付勢部材及び第２付勢部材を収容するケースを備え、第２カムは、前後移動に伴い、ケースに設けられたスイッチのＯＮ／ＯＦＦ動作を行うものであり、第１カムは、初期位置と、燃焼位置から操作部材が押し込み操作された際の消火押切位置とは、第１係止部材によってそれぞれ位置決めされ、それ以外の前後位置は、第２カム若しくはケースとの当接によって位置決めされる一方、第２カムは、燃焼位置は第２係止部材によって位置決めされ、それ以外の前後位置は、ケース若しくは弁軸、第１カムとの当接によって位置決めされることを特徴とする。
【発明の効果】
【０００７】
請求項１に記載の発明によれば、消火位置では操作部材の前面が器体の前面に沿った初期位置に保持され、燃焼位置では、操作部材が器体の前面から突出するので、プッシュスイッチ機構の操作部材を備えたものであっても、点火状態と消火状態との区別がつきやすくなり、使い勝手に優れる。
請求項２に記載の発明によれば、請求項１の効果に加えて、２つのハートカム機構を利用して２つのカムを各位置へスムーズに前後移動させることができ、カムを２つ採用しても良好な操作感が得られる。
請求項３に記載の発明によれば、請求項１又は２の効果に加えて、第１カムが後退する際には、重合部が他方側に対して摺接するので、第１カムの後退が重合部を介してガイドされ、両カムががたつきなく前後移動できる。
請求項４に記載の発明によれば、請求項２の効果に加えて、第１、第２係止部材と第１、第２カムとの前後方向での係止を最小限に抑えることができるため、操作部材への押し込み力や第１、第２付勢部材の付勢力が第１、第２カムへ作用することを抑制できる。よって、当該押し込み力や付勢力による第１、第２カムの破損を効果的に防止することができる。特に第２カムには、燃焼位置を除いて第２係止部材が前後方向に係止しないため、第２係止部材にヨレが生じることがない。よって、第２カムの前後移動を円滑に行わせることができ、スイッチのＯＮ／ＯＦＦ動作のタイミングにズレ等が生じなくなる。
【図面の簡単な説明】
【０００８】
【図１】ビルトインコンロの斜視図である。
【図２】プッシュスイッチ機構の斜視図である。
【図３】プッシュスイッチ機構の分解斜視図である。
【図４】（Ａ）は前カムの背面図、（Ｂ）は後カムの背面図である。
【図５】消火位置のプッシュスイッチ機構の説明図で、（Ａ）が側面、（Ｂ）が底面をそれぞれ示す。
【図６】点火押切位置のプッシュスイッチ機構の説明図で、（Ａ）が側面、（Ｂ）が底面をそれぞれ示す。
【図７】燃焼位置のプッシュスイッチ機構の説明図で、（Ａ）が側面、（Ｂ）が底面をそれぞれ示す。
【図８】消火押切位置のプッシュスイッチ機構の説明図で、（Ａ）が側面、（Ｂ）が底面をそれぞれ示す。
【図９】（Ａ）は前カム溝における前レバーピンの後端位置の相対移動を示す説明図、（Ｂ）は後カム溝における後レバーピンの前端位置の相対移動を示す説明図である。
【発明を実施するための形態】
【０００９】
以下、本発明の実施の形態を図面に基づいて説明する。
図１は、ガス調理器具の一例であるビルトインコンロの斜視図である。このビルトインコンロ１は、平面視が横長矩形状の器体２内に、前側（図１の左下側）で左右に２つ、その間で後側に１つの３つのコンロ部３，３・・と、前側の２つのコンロ部３，３の間に位置するグリル部４とを備えてなる。
器体２は、前面及び上面を開口した本体５と、本体５の前面に取り付けられる前枠６と、前枠６の下側に取り付けられるフロントパネル７と、本体５の上面の開口に取り付けられる天板８とからなる。器体２の上面の開口には、天板８の下方でキッチンのキャビネットに係止するフランジ９が周設されている。各コンロ部３は、天板８から上方に露出して上面にバーナヘッド１１を載置したコンロバーナ１０と、その周囲に位置する五徳１２とを備えている。１３は、グリル部４の排気キャップである。
【００１０】
フロントパネル７の中央には、グリル扉１４が設けられ、その左右には、コンロバーナ１０や図示しないグリルバーナを点消火操作するための点消火ボタン１５，１５・・と、タイマー調理等の設定を行うための開閉式の操作パネル１６とが設けられている。点消火ボタン１５は、器体２内に収容したプッシュスイッチ機構の前端に備えられて、点消火ボタン１５の押し操作の繰り返しにより、各バーナの点消火動作が可能となっている。以下、このプッシュスイッチ機構について詳述する。
【００１１】
図２は、プッシュスイッチ機構２０の斜視図、図３は同分解斜視図である。このプッシュスイッチ機構２０は、カム機構部２１と、カム機構部２１の後方に取り付けられる流路開閉部２２とを備えてなる。流路開閉部２２の上流側には、器体２内の図示しないガスパイプが接続され、下流側には、ガス量調整部２３が接続されて、カム機構部２１の前端に、点消火ボタン１５が設けられている。なお、このプッシュスイッチ機構２０は、器体２内ではカム機構部２１が下側となる向きで前後方向に設置されるが、カム機構部２１の説明の便宜上、図２，３ではカム機構部２１を上側にして示している。
【００１２】
まず、カム機構部２１は、メカボックス２４と、メカボックス２４内に収容された前カム２５及び後カム２６とを備える。メカボックス２４は、横断面がＵ字状で下面及び前面を開口させたボックス本体２７と、ボックス本体２７の下面を閉塞するカバー２８とからなり、ボックス本体２７の左右の側面には、基板スイッチ２９とイグナイタスイッチ３０とが、レバー２９ａ，３０ａをそれぞれ下側且つ後向きとした姿勢でネジ止めされている。ボックス本体２７の前後方向中央には、透孔３２を有する仕切板３１が形成され、その後側の左右には、一対の切欠窓３３，３３が形成されて、左右の側面下部には、複数の係止突起３４，３４・・が前後方向へ所定間隔をおいて突設されている。ボックス本体２７の後端は、左右に張り出す閉塞板３５で閉塞されて、ボックス本体２７の内部に対向する部位には、透孔３６が形成され、その周囲にリング状突起３７が形成されている。閉塞板３５の下部後側には、後ピン受け部３８が突設されて、後ピン受け部３８には、倒コ字状の後レバーピン３９の後端が、抑えバネ４０により保持されている。よって、後レバーピン３９は、後端を中心に左右へ揺動可能となる。ボックス本体２７の前端内側には、左右にストッパ４１，４１が設けられている。
【００１３】
カバー２８は、ボックス本体２７の下面から左右の側面下部に掛けて覆う横断面倒コ字状で、左右の折り返し部には、係止突起３４，３４・・が係止する角孔４２，４２・・が形成されて、前端中央には、前ピン受け部４３が突設されている。この前ピン受け部４３には、倒コ字状の前レバーピン４４の前端が、抑えバネ４５により保持されている。よって、前レバーピン４４は、前端を中心に左右へ揺動可能となる。また、カバー２８の下面には、後レバーピン３９の前端が挿入し、後端を中心とした円弧状の後長孔４６と、前レバーピン４４の後端が挿入し、前端を中心とした円弧状の前長孔４７とが左右方向に形成されている。
【００１４】
前カム２５は、上部外形がボックス本体２７に嵌合する横断面Ｕ字状のブロック体で、前面には、点消火ボタン１５が連結される連結ロッド５０が、回転可能且つ前向きに連結され、後面には、後カム２６を押圧する前側ロッド５１が後向きに突設されている。前カム２５の前側の左右両側面は二面幅に形成されて、その後部左右には、ボックス本体２７のストッパ４１，４１に後方から係止する係止面５２，５２が形成されている。
また、前カム２５の下部には、前カム溝５４を形成した板状のカム板部５３が後向きに形成されて、カム板部５３の前側には、下面及び前面が開放する凹部５５が形成されている。この前カム溝５４は、図５にも示すように、尖端を後側に向けて左側が右側よりも前方へ長くなる平面視ハート形状の前循環部５６と、前循環部５６の尖端から後方へ延びる前直線部５７とからなる有底溝となっている。この前カム溝５４に、前長孔４７を貫通した前レバーピン４４の後端が挿入係止して、後述するように前カム２５の進退動に伴い前カム溝５４内を移動するようになっている。
さらに、前カム２５の外面には、図４（Ａ）に示すように、Ｕ字状の上面と、カム板部５３に沿った左右の側面と下面とに、複数のガイド突起５８，５８・・が前後方向に突設されている。
【００１５】
後カム２６も、上部外形がボックス本体２７に嵌合する横断面Ｕ字状のブロック体で、後面には、図４，５に示すように、流路開閉部２２の弁軸７５を押圧する後側ロッド６０が後向きに突設されている。また、左右の両側面には、左アーム６１と右アーム６２とがそれぞれ突設されている。左アーム６１は、後カム２６の後退に伴って基板スイッチ２９のレバー２９ａを、右アーム６２は、後カム２６の後退に伴ってイグナイタスイッチ３０のレバー３０ａをそれぞれ押し込むもので、ここでは左アーム６１の方が右アーム６２よりも後方へ長く形成されて、基板スイッチ２９をＯＮさせるタイミングをイグナイタスイッチ３０をＯＮさせるタイミングよりも早く設定している。
【００１６】
さらに、後カム２６の下部には、前カム２５のカム板部５３が進入可能な逃げ凹部６３が前後方向に形成されており、逃げ凹部６３の底面に、後カム溝６４が形成されている。この後カム溝６４は、尖端を後側に向けて右側が左側よりも前方へ長くなる平面視ハート形状の後循環部６５と、後循環部６５の尖端から後方へ延びる後直線部６６とからなる有底溝となっている。この後カム溝６４に、後長孔４６を貫通した後レバーピン３９の前端が挿入係止して、後述するように後カム２６の進退動に伴い後カム溝６４内を移動するようになっている。
そして、後カム２６の外面にも、図４（Ｂ）に示すように、Ｕ字状の上面と、左右アーム６１，６２を除く左右の側面とに、複数のガイド突起６７，６７・・が前後方向に突設されている。
【００１７】
ここでは前カム２５が、仕切板３１の前側でボックス本体２７に収容されて、前カム２５と仕切板３１との間には、前カム２５の前側ロッド５１が挿入する前コイルバネ７０が設けられる。よって、前カム２５は、係止面５２，５２がボックス本体２７のストッパ４１，４１に当接する前方位置と、カム板部５３を除く後面が仕切板３１に当接する後方位置との間で前後移動可能となる。
また、後カム２６は、仕切板３１の後側でボックス本体２７に収容されて、後カム２６とボックス本体２７の閉塞板３５との間には、後カム２６の後側ロッド６０が挿入する後コイルバネ７１が設けられる。後コイルバネ７１は、閉塞板３５の前面でリング状突起３７に後端が嵌合して保持される。よって、後カム２６は、前面が仕切板３１に当接する前方位置と、後側ロッド６０が弁軸７５を押し込んで後面がリング状突起３７に近接する後方位置との間で前後移動可能となる。
【００１８】
この状態でカバー２８をボックス本体２７に被せて下面を閉塞し、前レバーピン４４の後端を前長孔４７を介して前カム２５の前カム溝５４に係止させ、後レバーピン３９の前端を後長孔４６を介して後カム２６の後カム溝６４に係止させる。前カム２５及び後カム２６は、前コイルバネ７０と後コイルバネ７１とによってそれぞれ前方位置へ付勢されるが、後述するように、前レバーピン４４による前カム溝５４への係止と、後レバーピン３９による後カム溝６４への係止と、ボックス本体２７内の仕切板３１又はストッパ４１との当接と、後述する弁軸７５との当接により、それぞれメカボックス２４内で前後位置を変更することになる。このとき前カム２５では、メカボックス２４の内面に対して異なる摺動面となる上下面及び左右の側面に設けられたガイド突起５８，５８・・が、メカボックス２４の内面に当接する。後カム２６も、メカボックス２４の内面に対して異なる摺動面となる上面及び左右の側面に設けられたガイド突起６７，６７・・が、メカボックス２４の内面に当接する。
後カム２６の左右アーム６１，６２は、ボックス本体２７の切欠窓３３，３３を介してそれぞれ左右外方へ突出して、後カム２６の進退動に伴い、基板スイッチ２９及びイグナイタスイッチ３０をＯＮ／ＯＦＦさせることになる。
【００１９】
流路開閉部２２は、下側にガス入口７２が、上側にガス出口７３を有して内部にガス流路が形成される筒状体で、後端には、ガス流路の上流側を開閉するマグネット電磁弁７４が設けられて、ガス流路内には、ガス流路の下流側を開閉するメイン弁を備えた弁軸７５が進退動可能に収容されている。但し、弁軸７５は、前方へ閉弁付勢されるマグネット電磁弁７４によって、常態ではメイン弁を閉弁する前進位置に付勢されている。流路開閉部２２の前端には、弁軸７５が突出する取付フランジ７６が延設されて、ボックス本体２７の閉塞板３５に取付フランジ７６をネジ止めすることで、閉塞板３５の透孔３６と取付フランジ７６の開口とが同軸で連通して、弁軸７５がボックス本体２７内に突出可能となっている。７７は、弁軸７５の貫通部分で閉塞板３５と取付フランジ７６との間をシールするパッキンである。
【００２０】
ガス量調整部２３は、流路開閉部２２のガス出口７３に接続されて流路開閉部２２と平行に前後方向へ延びる筒状体で、内部には、ガス出口７３と連通するガス調整流路と、その下流側でバーナへ燃料ガスを供給する図示しないガスパイプが接続される接続口（図示略）とが形成される。ガス調整流路内には、軸方向に進退動することでガス調整流路の開口面積を変更するニードル弁７８が設けられている。
【００２１】
点消火ボタン１５は、正面視が円形状で、前カム２５の連結ロッド５０に外装される中間筒８０の前端へ一体に連結されている。中間筒８０の後端には、係合スリーブ８２が、中間筒８０の外周に設けた突条８１との係合により、回転方向で一体に外装されている。
図２において、８３は、フロントパネル７の裏側に固定された保持枠、８４は、点消火ボタン１５の外側で保持枠８３に同軸で回転可能に保持される調整リングである。この調整リング８４の外周には、ガス量調整部２３のニードル弁７８の下側で後方へ延びて、ニードル弁７８から放射方向に突設した図示しないピンが係合する螺旋状の溝８６を備えた連係片８５が一体に設けられている。この調整リング８４は、後述する燃焼位置で前進した係合スリーブ８２が係合することで、点消火ボタン１５の回転操作に伴い、係合スリーブ８２を介して回転するもので、この回転により、連係片８５を偏心運動させて溝８６内でピンを相対移動させ、ニードル弁７８を軸方向へ前後移動させることができる。
【００２２】
以上の如く構成されたビルトインコンロ１のプッシュスイッチ機構２０において、点火から消火に至る動作を、図５〜図９に基づいて説明する。なお、図５〜８の（Ａ）では、上下の向きは図２，３と逆になっており、図５〜８の（Ｂ）では、底面を示すと共に、カバー２８を省略して前長孔４７及び後長孔４６のみを仮想線で示している。
まず、点消火ボタン１５を操作しない状態では、図５に示すように、前カム２５は、前レバーピン４４の後端が前長孔４７を介して前カム溝５４の前循環部５６の前側中央（図９（Ａ）の位置Ａ）に係止することで、前コイルバネ７０の付勢に抗して前方位置よりやや後方（初期位置）にある。後カム２６は、後コイルバネ７１の付勢により、仕切板３１に当接する前方位置にある。このとき、後レバーピン３９の前端は、後長孔４６を介して後カム溝６４の後直線部６６内にあるが、後直線部６６の後端には係止せず、後端よりやや前側（図９（Ｂ）の位置Ａ）に位置している。
【００２３】
この状態で、前カム２５と前後動が一体の点消火ボタン１５は、前面が器体２の前面（ここではフロントパネル７の前面で、ラインＬで示す。）よりやや突出してラインＬに沿った位置にある。ここでは前カム２５のカム板部５３が仕切板３１より後方へ突出しているが、後カム２６には逃げ凹部６３が形成されているため、後カム２６とは干渉せず、カム板部５３は逃げ凹部６３の底面に重合している。
また、この状態では、後カム２６の後側ロッド６０は弁軸７５から前方へ離間しているので、流路開閉部２２の弁軸７５は前進位置にあってメイン弁及びマグネット電磁弁７４は閉弁状態にある（消火位置）。また、後カム２６の左右アーム６１，６２も基板スイッチ２９及びイグナイタスイッチ３０の各レバー２９ａ，３０ａから前方へ離間している。
【００２４】
ここから点消火ボタン１５を押し込むと、図６に示すように、後退した前カム２５の前側ロッド５１が仕切板３１の透孔３２を貫通して後カム２６に当接し、後カム２６を後コイルバネ７１の付勢に抗して後退させる。すると、後退した後カム２６の後側ロッド６０が弁軸７５に当接して弁軸７５を後退させて、後退した弁軸７５がマグネット電磁弁７４を強制的に開弁させた状態で押し込みが規制される（点火押切位置）。このとき、前レバーピン４４の後端は、前循環部５６内を移動してその左側前端に位置するが、左側前端には係止せず、やや後側（図９（Ａ）の位置Ｂ）に位置している。
一方、後レバーピン３９の前端は、後循環部６５内を移動してその右側前端に位置するが、右側前端には係止せず、やや後側（図９（Ｂ）の位置Ｂ）に位置している。このように、後レバーピン３９は、位置Ａから位置Ｂまで後カム溝６４に係止しないため、ヨレは生じない。
【００２５】
なお、前カム溝５４及び後カム溝６４の底部には、前レバーピン４４及び後レバーピン３９の端部の移動方向を図６（Ｂ）での右回転方向に規制する段部８８，８８・・（図９）が形成されていると共に、前後レバーピン４４，３９は抑えバネ４０，４５によって各カム溝５４，６４の底部側へ押し付けられているので、各カム溝５４，６４から脱却することなく一方向のみにガイドされる。
【００２６】
また、前カム２５が後退する際、後方へ突出するカム板部５３は、後カム溝６４の逃げ凹部６３の底面上を摺接するので、前カム２５の後退がカム板部５３を介して後カム２６の逃げ凹部６３にガイドされ、スムーズに移動できる。また、カム板部５３が後カム溝６４と干渉することはない。
さらに、前カム２５及び後カム２６の外面には、前後方向にガイド突起５８，６７が形成されているので、ガイド突起５８，６７がメカボックス２４の内面を摺動することで、前カム２５及び後カム２６の前後方向の姿勢が維持される。よって、前カム２５及び後カム２６は、メカボックス２４内でこじれたりすることなくスムーズに後退できる。
【００２７】
この点火押切位置では、マグネット電磁弁７４と共にメイン弁も開弁して流路開閉部２２のガス流路内に燃料ガスが供給される。よって、ガス量調整部２３を介してコンロバーナ１０若しくはグリルバーナへ燃料ガスが供給される。これと同時に、後カム２６の左アーム６１が基板スイッチ２９のレバー２９ａを、右アーム６２がイグナイタスイッチ３０のレバー３０ａをそれぞれ順番に押し込んで両スイッチ２９，３０をＯＮさせるため、制御回路基板からマグネット電磁弁７４に通電されると共にイグナイタが作動して点火動作がなされる。
【００２８】
次に、点火押切位置から点消火ボタン１５の押し込みを解除すると、図７に示すように、前カム２５は、前コイルバネ７０の付勢により、係止面５２，５２がボックス本体２７のストッパ４１，４１に係止する前方位置に移動する。この前進の際、前カム２５の前側下部には凹部５５が形成されているので、メカボックス２４側の前ピン受け部４３とは干渉しない。
この前カム２５の前進と共に点消火ボタン１５も前進して、フロントパネル７の前面よりも大きく前方へ突出する。このとき前レバーピン４４の後端は、前循環部５６から前直線部５７に移動するが、前直線部５７の後端に係止せず、やや前側（図９（Ａ）の位置Ｃ）に位置している。また、後カム２６は、後コイルバネ７１の付勢により、後レバーピン３９の前端が後循環部６５内を移動してその前側中央（図９（Ｂ）の位置Ｃ）に係止することで前進が規制される。なお、後長孔４６の前縁には、後レバーピン３９の前端に軽係止する係止突部４６ａ（図２，６）が形成されて、後レバーピン３９が係止位置から不意に移動することを防止している。
【００２９】
この状態で、流路開閉部２２では、マグネット電磁弁７４は通電によって開弁保持されているので、弁軸７５は移動せず、メイン弁も開弁した状態となって燃料ガスの供給は継続される（燃焼位置）。また、後カム２６の左アーム６１は基板スイッチ２９のレバー２９ａを押し込んだ状態にあって基板スイッチ２９のＯＮを継続させ、右アーム６２はイグナイタスイッチ３０のレバー３０ａから離間してイグナイタスイッチ３０をＯＦＦさせる。
さらに、点消火ボタン１５を回転させれば、前述のように係合スリーブ８２を介して調整リング８４及び連係片８５を回転させてニードル弁７８を軸方向に移動させ、ガス量調整部２３のガス調整流路の開口面積を変更して火力を調整することができる。
【００３０】
そして、燃焼位置から点消火ボタン１５を押し込むと、図８に示すように、前カム２５は後退して、前レバーピン４４の後端が前循環部５６内を移動してその右側前端（図９（Ａ）の位置Ｄ）に係止することで押し込みが規制される（消火押切位置）。この前カム２５の押し込みにより、前側ロッド５１に押圧されて後カム２６も後退し、後レバーピン３９の前端は、後循環部６５内を移動してその左側前端に達するが、左側前端には係止せず、その後側（図９（Ｂ）の位置Ｄ）に位置している。
このときも前カム２５が後退する際、カム板部５３が、後カム溝６４の逃げ凹部６３の底面上に再び重なって当該底面上を摺接するので、前カム２５の後退がカム板部５３を介して後カム２６の逃げ凹部６３にガイドされ、スムーズに移動できる。
【００３１】
この消火押切位置で点消火ボタン１５から手を離すと、前カム２５は、前コイルバネ７０の付勢により、前レバーピン４４の後端が前循環部５６内を移動してその前側中央に係止する図５の位置に復帰する。後カム２６も、後レバーピン３９の前端が後循環部６５から後直線部６６に移動して仕切板３１に当接する図５の位置に復帰する。このときも後レバーピン３９は位置Ｄから位置Ａまで後カム溝６４に係止しないため、ヨレは生じない。
この後カム２６の前進により左アーム６１が基板スイッチ２９のレバー２９ａから離間して基板スイッチ２９をＯＦＦさせるため、制御回路基板はマグネット電磁弁７４への通電を停止してマグネット電磁弁７４を閉弁させる。これにより、流路開閉部２２では弁軸７５も前進してメイン弁を閉弁させるため、燃料ガスの供給が停止してバーナは消火する。
こうして前カム２５と後カム２６とが前進する際にも、ガイド突起５８，６７がメカボックス２４の内面を摺動することで前後方向の姿勢が維持されるため、スムーズに前進できる。
【００３２】
このように、上記形態のビルトインコンロ１によれば、点消火ボタン１５と流路開閉部２２との間で前後移動可能なカムを、点消火ボタン１５に連結される前カム２５と、弁軸７５を前後移動させる後カム２６とから構成すると共に、点消火ボタン１５の押し込み操作の繰り返しにより前後カム２５，２６の前後位置を変更して弁軸７５を消火位置と燃焼位置とに前後移動させる案内手段を、前カム２５の前後位置を決定する第１案内手段（前カム溝５４、前レバーピン４４、前コイルバネ７０、ストッパ４１、後カム２６（弁軸７５））と、後カム２６の前後位置を決定する第２案内手段（後カム溝６４、後レバーピン３９、後コイルバネ７１、仕切板３１、弁軸７５、前カム２５）とから構成して、消火位置では、第１案内手段によって前カム２５は、点消火ボタン１５の前面を器体２の前面に沿わせる初期位置に保持され、消火位置からの点消火ボタン１５の押し込み操作により、前カム２５を介して後カム２６が後退して弁軸７５を開弁側へ移動させ、押し込み操作を解除した燃焼位置では、第１案内手段によって前カム２５は、点消火ボタン１５を器体２の前面から突出させる前方位置に保持されるようにしている。よって、プッシュスイッチ機構２０の点消火ボタン１５を備えたものであっても、点火状態と消火状態との区別がつきやすくなり、使い勝手に優れる。
【００３３】
特にここでは、第１案内手段を、前カム２５に形成されたハート形状の前カム溝５４と、その前カム溝５４に係止して前カム２５の前後移動に伴って前カム溝５４内を相対移動する前レバーピン４４と、前カム２５を前方へ付勢する前コイルバネ７０とを含むものとし、第２案内手段を、後カム２６に形成されたハート形状の後カム溝６４と、その後カム溝６４に係止して後カム２６の前後移動に伴って後カム溝６４内を相対移動する後レバーピン３９と、後カム２６を前方へ付勢する後コイルバネ７１とを含むものとしているので、２つのハートカム機構を利用して２つの前後カム２５，２６を各位置へスムーズに前後移動させることができ、カムを２つ採用しても良好な操作感が得られる。
【００３４】
また、前カム２５に、後カム２６へ部分的に重なるカム板部５３を突設して、前カム２５が後退する際には、カム板部５３が後カム２６の逃げ凹部６３に対して摺接するので、前カム２５の後退がカム板部５３を介して後カム２６の逃げ凹部６３にガイドされ、前カム２５及び後カム２６ががたつきなく前後移動できる。
【００３５】
さらに、前カム２５は、初期位置と、燃焼位置から点消火ボタン１５が押し込み操作された際の消火押切位置とは、前レバーピン４４によってそれぞれ位置決めされ、それ以外の前後位置（点火押切位置、燃焼位置）は、後カム２６（弁軸７５）若しくはメカボックス２４のストッパ４１との当接によって位置決めされる一方、後カム２６は、燃焼位置は後レバーピン３９によって位置決めされ、それ以外の前後位置（消火位置、点火押切位置、消火押切位置）は、メカボックス２４の仕切板３１若しくは前カム２５、弁軸７５との当接によって位置決めされるようになっている。
これにより、前後レバーピン４４，３９と前後カム２５，２６との前後方向での係止を最小限に抑えることができるため、点消火ボタン１５への押し込み力や前後コイルバネ７０，７１の付勢力が前後カム２５，２６へ作用することを抑制できる。よって、当該押し込み力や付勢力による前後カム２５，２６の破損を効果的に防止することができる。
特に後カム２６には、燃焼位置を除いて後レバーピン３９が前後方向に係止しないため、後レバーピン３９にヨレが生じることがない。よって、後カム２６の前後移動を円滑に行わせることができ、基板スイッチ２９及びイグナイタスイッチ３０のＯＮ／ＯＦＦ動作のタイミングにズレ等が生じなくなる。
【００３６】
なお、２つのカムの形状や各カム溝の形状は上記形態に限らず、適宜変更可能で、例えば重合部となるカム板部を後カムに設けて前カムに対して摺接させることもできるし、カム溝のない重合部を設けることもできる。前後レバーピンや前後長孔の形状や位置も変更可能である。
また、上記形態では、２つのカムにカム溝を設け、カムを保持するメカボックス側にレバーピンを設けているが、これと逆に、２つのカムにレバーピンをそれぞれ設け、メカボックス側にカム溝を設けても、点消火ボタンの押し操作による２つのカムの前後位置の変更は可能である。
【００３７】
さらに、操作部材も上記形態の点消火ボタンに限らず、大きさや形状は適宜変更できる。また、上記形態では点消火ボタンの回転操作で火力調整を可能としているが、火力調整は操作部材と別途設けた火力調整レバーによって行うようにしても差し支えない。
そして、ビルトインコンロの形態も上記説明に限らず、コンロ部が２口のものやグリル部がないものであってもよいし、ビルトインコンロに限らず、テーブルコンロ等の他のガス調理器具においても本発明は適用可能である。
【符号の説明】
【００３８】
１・・ビルトインコンロ、２・・器体、３・・コンロ部、４・・グリル部、５・・本体、７・・フロントパネル、１０・・コンロバーナ、１５・・点消火ボタン（操作部材）、２０・・プッシュスイッチ機構、２１・・カム機構部、２２・・流路開閉部、２３・・ガス量調整部、２４・・メカボックス（ケース）、２５・・前カム（第１カム）、２６・・後カム（第２カム）、２７・・ボックス本体、２８・・カバー、２９・・基板スイッチ、３０・・イグナイタスイッチ、３１・・仕切板、３９・・後レバーピン（第２係止部材）、４１・・ストッパ、４４・・前レバーピン（第１係止部材）、４６・・後長孔、４７・・前長孔、５１・・前側ロッド、５２・・係止面、５３・・カム板部（重合部）、５４・・前カム溝（第１カム溝）、５６・・前循環部、５７・・前直線部、５８，６７・・ガイド突起、６０・・後側ロッド、６１・・右アーム、６２・・左アーム、６４・・後カム溝（第２カム溝）、６５・・後循環部、６６・・後直線部、７０・・前コイルバネ（第１付勢部材）、７１・・後コイルバネ（第２付勢部材）、７４・・マグネット電磁弁、７５・・弁軸、８８・・段部、Ｌ・・フロントパネルの前面。
【図１】
2018128241.tif 000003
【図２】
2018128241.tif 000004
【図３】
2018128241.tif 000005
【図４】
2018128241.tif 000006
【図５】
2018128241.tif 000007
【図６】
2018128241.tif 000008
【図７】
2018128241.tif 000009
【図８】
2018128241.tif 000010
【図９】
2018128241.tif 000011